(57)【要約】【課題】  記録開始のタイミングを逸することなく、録画開始を可能にするとともに、記録媒体の容量を有効に利用することができる。【解決手段】  記録再生装置１は、ＣＰＵ５が、信号処理回路２及び記録媒体３（記録媒体<１>）を制御して同一の映像信号を記録開始時間が異なる複数のタイミングで記録媒体３（記録媒体<１>）にデータ圧縮・時間軸圧縮して記録するとともに、記録開始時間が異なる複数のタイミングで記録媒体３（記録媒体<１>）に記録された映像信号を略同時に再生し、選択部４を制御して複数のタイミングで記録媒体３（記録媒体<１>）に記録された映像信号から、ユーザが任意のタイミングの映像信号を選択し、選択された映像信号を記録媒体６（記録媒体<２>）に記録する記録再生処理を実行する。【選択図】  図１
2005184635.tif 000002
【特許請求の範囲】
【請求項１】
映像信号を記録再生する記録再生装置において、
同一の映像信号を記録開始時間が異なる複数のタイミングで第１記録媒体に記録する記録手段と、
前記記録開始時間が異なる複数のタイミングで前記第１記録媒体に記録された映像信号を同時に再生可能な再生手段と
備えることを特徴とする記録再生装置。
【請求項２】
前記記録手段は、映像信号をデータ圧縮して記録することを特徴とする請求項１記載の記録再生装置。
【請求項３】
前記記録手段は、映像信号を時間軸圧縮して記録することを特徴とする請求項１又は２に記載の記録再生装置。
【請求項４】
前記再生手段は、映像信号をデータ復号により再生することを特徴とする請求項１記載の記録再生装置。
【請求項５】
前記再生手段は、映像信号を時間軸伸張により再生することを特徴とする請求項１又は４に記載の記録再生装置。
【請求項６】
前記再生手段は、前記記録開始時間が異なる複数のタイミングで前記第１記録媒体に記録された映像信号を、入力信号に対して略同時に再生することを特徴とする請求項１、４又は５のいずれか一項に記載の記録再生装置。
【請求項７】
前記複数のタイミングで前記第１記録媒体に記録された映像信号から、任意のタイミングの前記映像信号を選択する選択手段をさらに備えることを特徴とする請求項１乃至６のいずれか一項に記載の記録再生装置。
【請求項８】
前記記録手段は、前記選択手段により選択された映像信号を第２記憶媒体に記録することを特徴とする請求項７記載の記録再生装置。
【請求項９】
前記記録手段は、前記選択手段により選択された映像信号を第２記憶媒体に記録し、該選択された映像信号の映像信号を前記第１記憶媒体から削除することを特徴とする請求項７又は８に記載の記録再生装置。
【請求項１０】
前記記録手段は、前記選択手段により選択された映像信号を第２記憶媒体に記録し、該選択された映像信号以外の映像信号を前記第１記憶媒体から削除することを特徴とする請求項７、８又は９のいずれか一項に記載の記録再生装置。
【請求項１１】
記録する映像信号をモニタ表示する表示手段を備え、
前記表示手段は、前記複数のタイミングで前記第１記録媒体に記録する映像信号の夫々を複数画面に同時に表示することを特徴とする請求項１乃至１０のいずれか一項に記載の記録再生装置。
【請求項１２】
記録する映像信号をモニタ表示する表示手段を備え、
前記表示手段は、前記複数のタイミングで前記第１記録媒体に記録する映像信号の夫々を複数画面に同時に表示し、
前記選択手段は、前記複数画面から任意の画面の映像信号を記録映像信号として選択することを特徴とする請求項１乃至１１のいずれか一項に記載の記録再生装置。
【請求項１３】
前記複数画面は、メイン画面とサムネイルであることを特徴とする請求項１１又は１２のいずれか一項に記載の記録再生装置。
【請求項１４】
前記第１記録媒体と前記第２記憶媒体とは異なる記憶媒体であることを特徴とする請求項８、９又は１０のいずれか一項に記載の記録再生装置。
【請求項１５】
前記第２記憶媒体は、本体外部に着脱可能な記憶媒体であることを特徴とする請求項８、９、１０又は１４のいずれか一項に記載の記録再生装置。
【請求項１６】
前記映像信号は、音声信号及び／又は文字データ等の情報を含む情報信号であることを特徴とする請求項１乃至１２のいずれか一項に記載の記録再生装置。
【請求項１７】
前記映像信号は、放送信号であることを特徴とする請求項１乃至１２のいずれか一項に記載の記録再生装置。
【請求項１８】
前記映像信号は、撮像手段により撮像された情報信号である
ことを特徴とする請求項１乃至１２のいずれか一項に記載の記録再生装置。
【請求項１９】
映像信号を記録再生する記録再生装置において、同一の映像信号を記録開始時間が異なる複数のタイミングで第１記録媒体に記録する記録手段と、前記記録開始時間が異なる複数のタイミングで前記第１記録媒体に記録された映像信号を同時に再生可能な再生手段と備える記録再生装置として機能させるためのプログラム。
【請求項２０】
映像信号を記録再生する記録再生装置において、同一の映像信号を記録開始時間が異なる複数のタイミングで第１記録媒体に記録する記録手段と、前記記録開始時間が異なる複数のタイミングで前記第１記録媒体に記録された映像信号を同時に再生可能な再生手段と備える記録再生装置として機能させるためのプログラムを記録したことを特徴とするコンピュータ読み取り可能な記録媒体。
【発明の詳細な説明】
【技術分野】
【０００１】
本発明は、映像信号を記録再生する記録再生装置記録再生装置及び記録再生処理プログラムを記録した記録媒体に関する。
【背景技術】
【０００２】
従来の画像記録再生装置においては、記録した静止画像を再生して画面上に表示する際には、検索や編集等の便宜を図るために、画像データの再生に先立って、サムネイル（Thumbnail）と呼ばれる縮小したサンプル画像を複数枚数分画面上に表示するものがある。また、表示全画面中に小領域の画面を形成し、この小領域の画面に表示全画面に表示された画像と異なる別の画像を表示するものがある。
【０００３】
また、記録媒体にハードディスクあるいはＤＶＤ−ＲＡＭを備えた記録再生装置において、入力された信号を記録すると同時に、該記録済み信号を表示装置へモニタ表示として出力可能な記録再生装置がある。例えば、特許文献１に記載されたデジタルビデオカメラは、ランダムアクセス可能な媒体を記憶媒体として使用し、現在再生中の画像の一部に次に再生される画像（動画）をサムネイル（小画面）で表示する。また、選択されたデータの再生時に次に再生するデータと選択位置より１つ前のデータをサムネイルとして、再生画像の一部に表示する。
【０００４】
従来の技術では、入力された信号を記録したものが正しく記録されているか否かを実時間でモニタできる。また、記録媒体に既に他のコンテンツ（番組）が記録済みの場合、入力された信号を記録しながら、既記録済み番組を再生することが可能である。また、特許文献１に記載の装置では、現在再生中のデータ（画像）をそのままに、次のデータ（シーン）の確認や選択が可能となっている。
【０００５】
【特許文献１】特開２００１−６０３８５号
【発明の開示】
【発明が解決しようとする課題】
【０００６】
しかしながらこのような従来の記録再生装置にあっては、録画の際のモニタを行い、さらには録画しながら再生したりあるいは再生の際、次のシーンをいち早くサムネイルで知ることができるという特徴があるものの、記録する際に記録操作が遅れると必要な部分（コンテツの一部）が欠けたまま記録されてしまうという欠点があった。
【０００７】
上記不具合を解消しようとして、記録データと該データの時間を遅らせたものを記録しようとすると、同一のデータを重複して記録媒体に記録することとなり記録媒体の容量を大きく消費してしまい、記録媒体の残容量が直ぐに無くなるといった課題がある。
【０００８】
本発明は、このような課題に鑑みてなされたものであって、記録開始のタイミングを逸することなく、録画開始を可能にするとともに、記録媒体の容量を有効に利用することができる記録再生装置及び記録再生処理プログラムを記録した記録媒体を提供することを目的とする。
【課題を解決するための手段】
【０００９】
本発明の記録再生装置は、映像信号を記録再生する記録再生装置において、同一の映像信号を記録開始時間が異なる複数のタイミングで第１記録媒体に記録する記録手段と、前記記録開始時間が異なる複数のタイミングで前記第１記録媒体に記録された映像信号を同時に再生可能な再生手段と備えることを特徴としている。
【００１０】
前記記録手段は、映像信号をデータ圧縮して記録するものであってもよく、映像信号を時間軸圧縮して記録するものであってもよい。
【００１１】
前記再生手段は、映像信号をデータ復号により再生するものであってもよく、映像信号を時間軸伸張により再生するものであってもよい。
【００１２】
前記再生手段は、前記記録開始時間が異なる複数のタイミングで前記第１記録媒体に記録された映像信号を、入力信号に対して略同時に再生するものであってもよい。
【００１３】
また、前記複数のタイミングで前記第１記録媒体に記録された映像信号から、任意のタイミングの前記映像信号を選択する選択手段をさらに備えることがより好ましい。
【００１４】
前記記録手段は、前記選択手段により選択された映像信号を第２記憶媒体に記録するものであってもよい。
【００１５】
より好ましい具体的な態様として、前記記録手段は、前記選択手段により選択された映像信号を第２記憶媒体に記録し、該選択された映像信号の映像信号を前記第１記憶媒体から削除する。
【００１６】
より好ましい具体的な態様として、前記記録手段は、前記選択手段により選択された映像信号を第２記憶媒体に記録し、該選択された映像信号以外の映像信号を前記第１記憶媒体から削除する。
【００１７】
また、記録する映像信号をモニタ表示する表示手段を備え、前記表示手段は、前記複数のタイミングで前記第１記録媒体に記録する映像信号の夫々を複数画面に同時に表示するものである。
【００１８】
より好ましい具体的な態様として、記録する映像信号をモニタ表示する表示手段を備え、前記表示手段は、前記複数のタイミングで前記第１記録媒体に記録する映像信号の夫々を複数画面に同時に表示し、前記選択手段は、前記複数画面から任意の画面の映像信号を記録映像信号として選択する。
また、前記複数画面は、メイン画面とサムネイルであってもよい。
【００１９】
前記第１記録媒体と前記第２記憶媒体とは異なる記憶媒体であってもよく、前記第２記憶媒体は、本体外部に着脱可能な記憶媒体であってもよい。
【００２０】
前記映像信号は、音声信号及び／又は文字データ等の情報を含む情報信号であってもよく、放送信号であってもよく、さらに、前記映像信号は、撮像手段により撮像された情報信号であってもよい。
【００２１】
また、本発明は、映像信号を記録再生する記録再生装置において、同一の映像信号を記録開始時間が異なる複数のタイミングで第１記録媒体に記録する記録手段と、前記記録開始時間が異なる複数のタイミングで前記第１記録媒体に記録された映像信号を同時に再生可能な再生手段と備える記録再生装置として機能させるためのプログラムである。
【００２２】
本発明は、映像信号を記録再生する記録再生装置において、同一の映像信号を記録開始時間が異なる複数のタイミングで第１記録媒体に記録する記録手段と、前記記録開始時間が異なる複数のタイミングで前記第１記録媒体に記録された映像信号を同時に再生可能な再生手段と備える記録再生装置として機能させるためのプログラムを記録したことを特徴とするコンピュータ読み取り可能な記録媒体である。
【発明の効果】
【００２３】
以上、詳述したように、本発明によれば、記録開始のタイミングを逸することなく、録画開始を可能にするとともに、記録媒体の容量を有効に利用することができる。例えば、ＤＶＤ−Ｒ、−ＲＷ、−ＲＡＭ、＋Ｒ、＋ＲＷ、ＨＤＤ等を記録媒体とする記録再生装置、更に撮像系を有したビデオカメラや携帯端末等に適用して好適である。
【発明を実施するための最良の形態】
【００２４】
以下、添付図面を参照しながら本発明の好適な記録再生装置の実施の形態について詳細に説明する。
【００２５】
第１の実施の形態
図１は、本発明の第１の実施の形態の記録再生装置の概略構成を示すブロック図である。本実施の形態の記録再生装置は、記録する情報信号を、放送信号とした場合の構成例である。
【００２６】
図１において、記録再生装置１は、放送信号をアンテナで受信してユーザが視聴したい局を選ぶ選局部１２と、選択された信号（入力）の信号処理する信号処理回路２（記録手段，再生手段）と、信号処理された放送信号を記録する記録媒体３（記録媒体<１>，第１記録媒体）と、記録媒体<１>の再生信号を複数発生させたものを選択する選択部４（選択手段）と、複数の再生信号を出力する映像信号出力部８と、複数の再生信号のうち選択された映像信号を記録する記録媒体６（記録媒体<２>，第２記録媒体）と、選択された映像信号とユーザからの入力情報を入力する入力部７（選択手段の一部）と、外部に出力する映像信号を切替えるスイッチ９と、上記各部を含む記録再生装置１全体を制御するＣＰＵ５とを備えて構成される。また、１０はテレビジョン受信機などのＡＶ機器に出力される再生出力、１１はモニタ用としてテレビジョン受信機などのＡＶ機器に出力される外部出力、１２Ａは情報信号を出力するタイミングに時間差を有する再生出力信号（１２ａ，１２ｂ，１２ｃ）である。
【００２７】
信号処理回路２は、同一の映像信号を記録開始時間が異なる複数のタイミングで圧縮・符号化して記録媒体３（記録媒体<１>）に記録するとともに、記録媒体３（記録媒体<１>）に記録された映像信号を復号・伸張する処理回路であり、該処理のためのメモリ回路及び記録媒体３（記録媒体<１>）に記録するためのドライバ・インターフェイス回路等から構成される。上記圧縮・符号化は、映像信号のデータ圧縮、時間軸圧縮であり符号化方式には限定されない。図１では、信号処理回路２は、記録開始タイミングが異なる同一映像信号を、３通り記録媒体３（記録媒体<１>）に記録する。また、信号処理回路２は、記録開始時間が異なる複数のタイミングで記録媒体３（記録媒体<１>）に記録された映像信号を、入力信号に対して略同時に再生する。図１では、再生出力信号１２Ａのうち、信号処理回路２からの再生出力信号１２ａ、記録媒体３（記録媒体<１>）からの再生出力信号１２ｂ，１２ｃである。
【００２８】
特に、信号処理回路２は、同一の映像信号を記録開始時間が異なる複数のタイミングで圧縮・符号化して記録媒体３（記録媒体<１>）に記録する一方で、一つの映像信号を３通りの異なる再生開始タイミングで同時に再生可能にする。
【００２９】
選択部４は、時間差を有する複数系統の出力系を選択するもので、複数のタイミングで記録媒体３（記録媒体<１>）に記録された映像信号から、任意のタイミングの映像信号を選択する。
【００３０】
本実施の形態では、記録する映像信号（情報信号）を外部にモニタ出力する出力系を複数系統（３つ）備え、複数系統の出力において、少なくとも１系統以上が情報信号を出力するタイミングに時間差を有するものである。選択部４は、時間差を有する複数系統の出力系を選択する。また、選択部４により選択された情報信号の情報信号出力タイミングに同期して記録媒体６（記録媒体<２>）に記録する。
【００３１】
ＣＰＵ５は、記録再生処理などのアプリケーションの処理の実行を含む記録再生装置１全体の制御を行うとともに、各制御部を総括して制御する。
【００３２】
特に、ＣＰＵ５は、信号処理回路２及び記録媒体３（記録媒体<１>）を制御して同一の映像信号を記録開始時間が異なる複数のタイミングで記録媒体３（記録媒体<１>）にデータ圧縮・時間軸圧縮して記録するとともに、記録開始時間が異なる複数のタイミングで記録媒体３（記録媒体<１>）に記録された映像信号を同時に再生し、選択部４を制御して複数のタイミングで記録媒体３（記録媒体<１>）に記録された映像信号から、任意のタイミングの映像信号を選択し選択された映像信号を記録媒体６（記録媒体<２>）に記録する記録再生処理プログラム実行手段としての機能を有する。
【００３３】
ＣＰＵ５は、制御プログラムや固定データ等を記憶するＲＯＭ、ＣＰＵの作業用記憶領域であるＲＡＭ、電気的に書換可能な不揮発性メモリであるＥＥＰＲＯＭ（electrically erasable programmable ROM）、ハードディスク（ＨＤＤ）などからなり入力された画像情報・音声信号を記憶する外部記憶装置を備える。
【００３４】
上記記録媒体３（記録媒体<１>）及び記録媒体６（記録媒体<２>）は、具体的には、上記ＲＡＭ、ＥＥＰＲＯＭ、ＨＤＤのほか、ＰＣカード，コンパクトフラッシュカード，スマートメディア，ＳＤカード，メモリスティック等のカード系、小型ＨＤＤ及び光磁気ディスク等のディスク系の記録媒体である。また、記録再生装置１本体は、カード型外部拡張記憶媒体を挿脱するためのスロット等を備え、カード型外部拡張記憶媒体を該スロットに装着してデータを直接読み取る構成としてもよい。カード型外部拡張記憶媒体は、例えば電源バックアップにより書き込まれた情報を保持するＳＲＡＭ（Static RAM）カードや電源バックアップが不要なフラッシュメモリ等からなるコンパクトフラッシュ（ＣＦ）、スマートメディア、メモリスティック、さらにはコンパクトフラッシュと同程度の大きさ又はＰＣカードTypeIIに装着可能な超小型ハードディスクドライブ（ＨＤＤ）等である。
【００３５】
入力部７は、十字キー，テンキーなどユーザからのキー操作情報を入力生成する操作部を備える。
【００３６】
また、図示は省略されているが、記録媒体<１>，<２>から読み出された画像データ、操作のためのガイダンスやグラフィックキャラクタなどを表示するＬＣＤ表示部、ＯＳＤ（オン・スクリーン・ディスプレイ）処理部、十字キー，テンキーなどユーザからのキー操作情報を入力生成する操作部、各種Ｉ／Ｏポートなどを備えている。ＯＳＤ処理部は、チャンネル、時刻、音量などの情報をテレビ等の画面上に表示する。ＴＶ等の映像装置、テレビ会議システム等の電子機器では、チャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。また、ＴＶ出力／ビデオ入力端子に図示しないＤＶＤ等の画像再生装置を接続すれば、表示画面上に再生画像に重畳してＯＳＤ表示が可能である。
以下、上述のように構成された記録再生装置の動作を説明する。
【００３７】
動作説明を簡素にするために、記録再生される信号のうち映像信号を例にとってブロック及び動作説明を行う。実際には、映像信号に付随する音声信号及び文字信号等の諸情報についても同時に記録再生及び出力される。
【００３８】
図２は、記録再生装置１の動作を説明するタイミング図であり、図３は、記録再生装置１の映像信号の入力・出力を示すタイミング図である。
【００３９】
選局部１２にて選局される放送信号は、アナログ放送、デジタル放送（ＳＤ、ＨＤ）であるが、チューナ等の選局部に限定されることなく、携帯電話機／ＰＨＳ（Personal Handy-Phone System）や携帯情報端末（以下、ＰＤＡ（Personal Digital Assistants）という）などの通信端末からの情報信号を受信する受信部としてもよい。
【００４０】
信号処理回路２における信号処理は、入力される信号（ソース）によって異なる。ここでは、信号処理回路２は、入力信号を圧縮・符号化する圧縮・符号化回路、これらの処理のためのメモリ回路及び記録媒体３（記録媒体<１>）に記録するためのドライバ・インターフェイス回路により構成されている。選局された入力信号の一方は、モニタ用として外部出力１１され、他方は、記録媒体３（記録媒体<１>）に記録される。また、記録媒体３（記録媒体<１>）に記録され同時に再生された信号は、信号処理回路２を介し再生出力１０として外部に出力される。記録される放送信号の転送速度は、通常放送信号（ＳＤ）信号で約２００Ｍｂ／ｓが必要とされているが、データ圧縮することにより、５Ｍｂ／ｓ程度で足りることから、記録媒体３（記録媒体<１>）がＨＤＤ（ハードディスク）である場合は、書込み速度が１００〜２００Ｍｂ／ｓであるので、ＨＤＤからの書込み及び読み出しが（１秒以内に）複数回可能である。
【００４１】
〔記録動作〕
図２のタイミング図は、入力（映像）信号が記録媒体３（記録媒体<１>）の記録時のタイミングと再生時のタイミングを同一のタイミングとして模式的に示したものである。記録及び再生が同時に可能なマルチヘッド光ピックアップを有した装置であっても実際には記録と再生されるタイミングには若干の時間差がある。説明の便宜上、時間差がゼロとした方が分りやすいため上記同一のタイミングとしている。
【００４２】
図２において、Ａは入力信号であり横軸は時間である。また、１２ａ，１２ｂ，１２ｃは入力信号Ａを記録媒体３（記録媒体<１>）に記録又は再生する時のタイミングを示す再生出力信号である（図１の再生出力信号１２参照）。なお、上記入力信号Ａと、異なる再生出力信号１２ａ，１２ｂ，１２ｃとは、タイミングの相関が分ればよく、時系列に一致させていなくてもよい。
【００４３】
入力信号Ａのｔ０からｔ３の時間は信号処理回路２でデータ圧縮、時間軸圧縮され、１２ａのｔａからｔａ１の時間に記録媒体３（記録媒体<１>）へ記録される（図２の○印と破線矢印参照）。但し、ｔ０〜ｔ３≫ｔａ〜ｔａ１である。入力信号Ａのｔ３からｔ６の時間についても信号処理回路２でデータ圧縮、時間軸圧縮され、１２ａのｔａ２からｔａ３の時間に、記録媒体３（記録媒体<１>）へ記録される。ここでもｔ３〜ｔ６≫ｔａ２〜ｔａ３である。
【００４４】
次いで入力信号Ａのｔ１からｔ４の時間は、１２ｂのｔｂからｔｂ１の時間に、Ａのｔ４からｔｘ（図示せず）の時間は、１２ｂのｔｂ２からｔｂ３の時間に、記録媒体３（記録媒体<１>）へ記録される（図２の□印と破線矢印参照）。
【００４５】
同様に、入力信号Ａのｔ２からｔ５の時間は、１２ｃのｔｃからｔｃ１というように記録媒体３（記録媒体<１>）へ記録される（図２の●印と破線矢印参照）。つまり、記録開始時刻が異なる（ｔａ，ｔｂ，ｔｃ）同一の映像信号が、３通り記録媒体３（記録媒体<１>）に記録されることになる。
【００４６】
〔再生動作〕
次に、記録媒体３（記録媒体<１>）に複数のタイミングで記録された映像信号を再生する場合について説明をする。
【００４７】
記録媒体３（記録媒体<１>）に記録されている映像信号１２ａのｔａからｔａ１、ｔａ２からｔａ３、は記録媒体３（記録媒体<１>）から（出力）信号処理回路２に転送され、データ復号、時間軸伸張がなされる。受信機がアナログの場合は、映像信号出力部８で、同期信号等が付加された映像信号に成形されスイッチ９を介し外部出力１１として出力される。入力信号Ａと出力タイミングの関係は、図３の入力信号Ａと１２ａのｔａ'となる。
【００４８】
記録されている映像信号１２ｂのｔｂからｔｂ１、ｔｂ２からｔｂ３は、記録媒体３（記録媒体<１>）から（出力）選択部４に転送され、データ復号、時間軸伸張がなされ、映像信号（８）に入力され、スイッチ９を介し、外部出力される。入力信号Ａと出力タイミングの関係は、図３の入力信号Ａと１２ａのｔａ'と１２ｂのｔｂ'となる。
【００４９】
記録されている映像信号１２ｃのｔｃからｔｃ１については、記録媒体３（記録媒体<１>）から（出力）選択部４に転送され、データ復号、時間軸伸張がなされ、映像信号出力部８に入力され、スイッチ９を介し、外部出力される。入力信号Ａと出力タイミングの関係は、図３のＡと１２ａのｔａ'と、１２ｂのｔｂ'と、１２ｃのｔｃ'となる。
【００５０】
図３の外部出力（モニタ出力）を受信機に接続することにより、一つの映像信号を３通りの異なる再生開始タイミングで同時に見ることができる。
【００５１】
ユーザは上述した３通りの異なる再生開始タイミングのうち、ユーザが所望するタイミングの外部出力映像を選び、記録再生装置１の入力部７に入力する。外部出力映像の選択は、異なる再生出力信号（１２ａ，１２ｂ，１２ｃ）に、図示しないＯＳＤ処理部の出力から番号を該映像信号に合成して出力することで、ユーザはその所望する映像出力（モニタ画面）番号を選び、装置の入力部７に入力することで可能である。
【００５２】
入力部７からの入力に基づき、ＣＰＵ５は、選択された再生開始タイミングの信号を選択部４で選択し、記録媒体６（記録媒体<２>）へ記録する。この記録媒体６（記録媒体<２>）は着脱可能なメディアとしてもかまわない。
【００５３】
選択された映像信号が記録されている記録媒体６（記録媒体<２>）の再生信号１７ｔ（図１参照）は、映像信号出力部８を介してスイッチ９から外部へ出力される。スイッチ９は、ＣＰＵ５の指示に基づいて記録媒体３（記録媒体<１>）からの映像信号と記録媒体６（記録媒体<２>）の再生出力の映像信号とを切替える。ＣＰＵ５は、記録媒体６（記録媒体<２>）に記録する映像信号が選択されると、選択外の記録済み映像信号を記録媒体３（記録媒体<１>）から削除する。図２及び図３でユーザにより選択された映像信号が１２ｂである場合、記録済みの映像信号１２ａと１２ｃを記録媒体３（記録媒体<１>）から削除する。記録媒体６（記録媒体<２>）の記録完了した後、記録媒体３（記録媒体<１>）の選択された映像信号を削除する。
【００５４】
以上のように、本実施の形態の記録再生装置１は、ＣＰＵ５が、信号処理回路２及び記録媒体３（記録媒体<１>）を制御して同一の映像信号を記録開始時間が異なる複数のタイミングで記録媒体３（記録媒体<１>）にデータ圧縮・時間軸圧縮して記録するとともに、記録開始時間が異なる複数のタイミングで記録媒体３（記録媒体<１>）に記録された映像信号を略同時に再生し、選択部４を制御して複数のタイミングで記録媒体３（記録媒体<１>）に記録された映像信号から、ユーザが任意のタイミングの映像信号を選択し、選択された映像信号を記録媒体６（記録媒体<２>）に記録する記録再生処理を実行するので、放送信号を受信し、見ている番組のユーザが所望する記録開始のタイミングを逸することなく、録画開始が可能となる。ユーザが所望する記録開始タイミングとは、番組の途中に発生するハプニング、応募の要領、ＵＲＬ（Uniform Resource Locators）アドレスなどが考えられる。
【００５５】
また、同一のデータを重複して記録媒体に記録する態様ではないため、記録媒体の容量を有効に利用することができる特有の効果がある。これにより、記録媒体の残容量が直ぐに無くなるといった不具合を防止することができ、入力信号の記録媒体として用いた場合、長時間の記録が可能となる。
【００５６】
第２の実施の形態
図４は、本発明の第２の実施の形態の記録再生装置の概略構成を示すブロック図である。本実施の形態の記録再生装置として、カメラ一体型記録再生装置、いわゆるビデオカメラに適用した例である。本実施の形態の説明に当たり、図１と同一構成部分には同一番号を付して重複箇所の説明を省略する。
【００５７】
図４において、カメラ一体型記録再生装置２０は、さらに、被写体を撮影するカメラレンズを有する撮像部１３（撮像手段）、撮像部１３で撮像された映像や記録媒体３（記録媒体<１>）等に記憶された画像データを画面合成する画面合成部１５、映像信号を表示するＬＤＣ等からなる表示部１６（表示手段）を備えて構成される。信号処理回路２は、撮像部１３で撮像された映像信号を信号処理する。また、ＣＰＵ５は、撮像部１３、画面合成部１５及び表示部１６を含むカメラ一体型記録再生装置２０全体を制御する。
【００５８】
記録媒体３（記録媒体<１>）は、半導体メモリやハードディスク（ＨＤＤ）などからなり入力された画像情報・音声信号を記憶する。
【００５９】
記録媒体６（記録媒体<２>）は、ＨＤＤのほか、ＤＶＤ−Ｒ、ＤＶＤ−ＲＷ、ＤＶＤ−ＲＡＭ、ＤＶＤ＋Ｒ、ＤＶＤ＋ＲＷ等のディスク系の記録媒体である。また、ＰＣカード，コンパクトフラッシュカード，スマートメディア，ＳＤカード，メモリスティック等のカード系、小型ＨＤＤ及び光磁気ディスク等のディスク系の記録媒体であってもよく、着脱可能なメディアであってもよい。
【００６０】
撮像部１３は、撮影レンズ，ズームレンズ，ズームレンズを駆動する駆動モータ，ＣＣＤ（Charge Coupled Device）等から構成され、対象となる画像情報を信号処理回路２に入力する。図示は省略するが、信号処理回路２の入力側には入力映像信号をデジタル信号に変換するＡ／Ｄ変換器が設置される。
【００６１】
表示部１６は、撮像された画像データ及び記録媒体から読み出された画像データ、操作のためのガイダンスやグラフィックキャラクタなどを表示する。
【００６２】
表示部１６は、記録する映像信号をモニタ表示する表示手段としての機能を有し、複数のタイミングで記録媒体３（記録媒体<１>）に記録する映像信号の夫々を複数画面（メイン画面とサムネイルなど）に同時に表示可能である。
【００６３】
また、表示部１６上には、表示部１６上に積層され表示部１６上に表示される操作ボタン表示をタッチしたことを検出する透明電極からなるタッチパネル（選択手段）を備えている。
【００６４】
入力部７は、カメラ一体型記録再生装置２０の画像を撮像するためのシャッターボタン，ズームボタン，十字キー，テンキーなどユーザからのキー操作情報を入力生成する操作部としての機能を備える。
【００６５】
例えば、複数のタイミングで記録媒体３（記録媒体<１>）に記録する映像信号の夫々を、表示部１６にモニタ表示として複数画面に表示し、入力部７によるキー操作又はタッチパネルにより複数画面から任意の画面の映像信号を選択する。
【００６６】
利用分野として、例えば、記録媒体３（記録媒体<１>）がＨＤＤ、記録媒体６（記録媒体<２>）がＤＶＤ−Ｒのように、異なる記録媒体を複数（本例では２つ）有する、モニタ付きビデオカメラに適用ができる。
以下、上述のように構成されたカメラ一体型記録再生装置２０の動作を説明する。
【００６７】
撮像部１３によって撮影された映像信号Ａは、信号処理回路２に入力され、記録媒体３（記録媒体<１>）に記録されると同時に、再生出力信号１２ａとして信号処理回路２を介し映像信号出力部８から出力される。映像信号出力部８の出力の一方は、表示部１６に出力され、記録する映像のモニタとなる。他方は、スイッチ９に入力され外部出力１１となる。
【００６８】
また、記録媒体３（記録媒体<１>）には、入力された映像信号を上述したタイミング（図２の再生出力信号１２ａ参照）と異なる複数のタイミング（図２の再生出力信号１２ｂ，１２ｃ参照）で記録しながら再生する。再生出力信号１２ｂ，１２ｃは（出力）選択部４に入力される。入力の映像信号Ａの再生信号である１２ａと１２ｂと１２ｃのタイミングは図２で説明したようになる。上述した再生出力信号１２ａ，１２ｂ，１２ｃは、画面合成部１５により画面合成され、映像信号出力部８に入力され、一方の出力は表示部１６で表示可能な映像信号に生成されて表示される。他方の出力はスイッチ９を介し外部出力１１として出力される。
【００６９】
表示部１６でモニタ表示される画面は、再生出力信号１２ａに基づく映像をメインとし、再生出力信号１２ｂと１２ｃに基づく映像をサムネイルとして表示してもよい。また、全ての映像信号出力をサムネイルとして表示してもよく、いかような組合せでもかまわない。また、スイッチ９から出力される映像信号等の外部出力１１は、表示部１６に表示する、サムネイルを含まなくてもかまわない。
【００７０】
表示部１６で表示される画面（ここでは３画面）は、図３に示したように、異なるタイミングで記録された映像が、同タイミングで表示されるので、ユーザ（撮影者）は、所望の画面を選び、入力部７によるキー操作、又は画面にタッチパネルによる画面タッチにより選択する。選ばれた画面、つまり選ばれた映像信号は、ＣＰＵ５により（出力）選択部４から記録媒体６（記録媒体<２>）へ記録される。記録媒体６（記録媒体<２>）に記録の再生信号１７ｔは、映像信号出力部８へ入力され表示部１６及びスイッチ９に出力される。
【００７１】
スイッチ９の出力は、ＣＰＵ５により記録媒体３（記録媒体<１>）からの映像信号出力か、記録媒体６（記録媒体<２>）からの映像信号出力かを切り替える。ＣＰＵ５は、記録媒体６（記録媒体<２>）に記録する映像信号が選択されると、選択外の記録済み映像信号を記録媒体３（記録媒体<１>）から削除する。前記図２及び図３でユーザにより選択された映像信号が１２ｂである場合、記録済みの映像信号１２ａと１２ｃを記録媒体３（記録媒体<１>）から削除する。記録媒体６（記録媒体<２>）の記録完了した後、記録媒体３（記録媒体<１>）の選択された映像信号を削除する。
【００７２】
本実施の形態によれば、撮影中の、被写体のちょっとした表情、しぐさなどを逃さずに記録開始ができる。また、第１の実施の形態と同様に、記録媒体の容量を有効に利用することができ、さらに、記録媒体３（記録媒体<１>）を、記録媒体６（記録媒体<２>）と同様に、入力信号の記録媒体として用いることができるので、長時間の記録が可能となる。
【００７３】
なお、上記各実施の形態では、記録再生装置として、放送信号を記録する記録再生装置及びカメラ一体型記録再生装置に適用した例であるが、これら記録再生装置に限るものでなく、他の撮影装置及び記録再生装置でもよい。例えば、デジタルカメラ、カメラ付き携帯電話機，カメラ付きＰＤＡ（Personal Digital Assistants）等の携帯情報端末等の撮影装置のほか、ＨＤＤ，ＤＶＤ，ＤＶＣ等の記録媒体にデータを記録するカメラを有しない画像記録再生装置に適用できる。
【００７４】
また、ディスク等の記録媒体から読み出す画像データは、非圧縮のデータは勿論のこと、ＪＰＥＧ（Joint Photographic Experts Group）をはじめとする静止画、ＭＰＥＧ（Moving Picture Experts Group）に準拠した動画像などどのような形式のものでもよい。
【００７５】
また、本実施の形態では、記録再生装置及びカメラ一体型記録再生装置という名称を用いたが、これは説明の便宜上であり、撮影装置、デジタルスチルカメラ、カメラ一体型ＶＴＲ、画像処理装置や情報表示方法等でもよいことは勿論である。
さらに、上記表示画面上の子画面の数や配置、色、表示形式等はどのようなものでもよい。
【００７６】
また、記録装置の種類や記録方法等は限定されず、全ての装置に適用可能である。例えば、記録装置として、ＨＤＤのほかＤＶＤやＣＤ−Ｒ／ＲＷ、ＭＤ（Mini Disc）に記録するものでもよい。特に、データ転送速度やランダム・アクセス性能が高く、高速アクセスが可能なＨＤＤを記録媒体に用いれば、大量に記録した画像の中から所望の画像を瞬時に検索し、直ぐに利用することが可能になる。また、光磁気ディスク等ＨＤＤ以外の記録装置を用いてもよく、同様の効果を得ることができる。
【００７７】
さらに、上記撮影装置及び記録再生装置を構成する回路や部材の数、種類などは前述した実施の形態に限られないことは言うまでもなく、ソフトウェアに限らずハードウェアにより実現するようにしてもよい。
【００７８】
また、以上説明した記録再生装置は、これら記録再生装置を機能させるためのプログラムでも実現される。このプログラムはコンピュータで読み取り可能な記録媒体に格納されている。本発明では、この記録媒体として、図２に示されているＣＰＵ５のメインメモリそのものがプログラムメディアであってもよいし、また外部記憶装置としてＣＤ−ＲＯＭドライブ等のプログラム読み取り装置が設けられ、そこに記録媒体を挿入することで読み取り可能なＣＤ−ＲＯＭ等のプログラムメディアであってもよい。いずれの場合でも、格納されているプログラムはシステム制御部のＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め各装置に格納されているものとする。
【００７９】
ここで、上記プログラムメディアは、通信端末装置又は情報処理装置と分離可能に構成される記録媒体であり、磁気テープやカセットテープ等の磁気ディスクやＣＤ−ＲＯＭ、ＣＤ−Ｒ／ＲＷ、ＭＯ、ＭＤ、ＤＶＤ−ＲＯＭ、ＤＶＤ−ＲＡＭ、ＤＶＤ−ＲＷ等の光ディスクのディスク系、ＰＣカード、コンパクトフラッシュカード、スマートメディア、ＩＣカード、ＳＤカード、メモリスティック等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００８０】
さらに、インターネット接続プロバイダ又は携帯メールサービス等の外部の通信ネットワークとの接続が可能な通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め格納しておくか、あるいは別な記録楳体からインストールされるものであってもよい。なお、記録媒体に格納されている内容としてはプログラムに限定されず、データであってもよい。
【図面の簡単な説明】
【００８１】
【図１】本発明の第１の実施の形態の記録再生装置の概略構成を示すブロック図である。
【図２】本実施の形態の記録再生装置の動作を説明するタイミング図。
【図３】本実施の形態の記録再生装置の映像信号の入力・出力を示すタイミング図である。
【図４】本発明の第２の実施の形態の記録再生装置の概略構成を示すブロック図である。
【符号の説明】
【００８２】
１  記録再生装置
２  信号処理回路（記録手段，再生手段）
３  記録媒体（記録媒体<１>，第１記録媒体）
４  選択部（選択手段）
５  ＣＰＵ
６  記録媒体（記録媒体<２>，第２記録媒体）
７  入力部（選択手段の一部）
８  映像信号出力部
９  スイッチ
１０  再生出力
１１  外部出力
１２  選局部
１２Ａ，１２ａ，１２ｂ，１２ｃ  再生出力信号
１３  撮像部（撮像手段）
１５  画面合成部
１６  表示部（表示手段）
２０  カメラ一体型記録再生装置
【図１】
2005184635.tif 000003
【図２】
2005184635.tif 000004
【図３】
2005184635.tif 000005
【図４】
2005184635.tif 000006